(57)【要約】【課題】商品陳列システムに収容される複数種類の陳列販売商品の適正な商品陳列形態を自動生成することができるデータ処理装置を提供する。【解決手段】データ処理装置８００は、タバコパックＴＰなどの販売商品種別ごとの商品売上順位ＴＳＲと商品保持位置ＰＫＳごとの位置売上順位ＰＳＲとを取得し、その対応関係条件ＣＲＲをパック金額データＰＭＤなどに対応して生成してから商品陳列形態ＰＤＦを生成する。商品陳列形態ＰＤＦに対応して商品保持位置ＰＫＳごとに商品販売個数とパック金額データＰＭＤなどを乗算して位置予想金額ＰＦＭを算出し、商品保持位置ＰＫＳごとに表示する。例えば、売上が良好な商品保持位置ＰＫＳに売上が良好なタバコパックＴＰなどが陳列される商品陳列形態ＰＤＦなどが自動生成されて位置予想金額ＰＦＭで確認される。【選択図】図１
2010033115.tif 000002
【特許請求の範囲】
【請求項１】
商品陳列システムに収容される複数種類の陳列販売商品の商品陳列形態を生成するデータ処理装置であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶部と、
前記システム正面画像の前記商品保持位置に配置される前記陳列販売商品ごとに少なくとも商品識別データを商品金額データとともに記憶する商品記憶部と、
前記陳列販売商品の販売商品種別ごとの商品売上順位を取得する商品順位部と、
前記陳列販売商品の前記商品保持位置ごとの所定期間での商品販売個数を位置売上順位として取得する位置順位部と、
前記商品金額データに対応して前記商品売上順位と前記位置売上順位との対応関係条件を生成する条件生成部と、
生成された前記商品売上順位と前記位置売上順位との前記対応関係条件により前記商品陳列システムに前記陳列販売商品を陳列する商品陳列形態を生成する陳列生成部と、
前記商品陳列形態に対応して前記商品保持位置ごとに前記商品販売個数と前記商品金額データを乗算して位置予想金額を算出する予想算出部と、
算出された前記位置予想金額を前記システム正面画像の前記商品保持位置ごとに表示出力する予想表示部と、
を有するデータ処理装置。
【請求項２】
前記商品保持位置ごとに算出された前記位置予想金額を総計してシステム予想金額を算出する総計算出部を、さらに有し、
前記予想表示部は、算出された前記システム予想金額も表示出力する請求項１に記載のデータ処理装置。
【請求項３】
前記条件生成部は、前記商品売上順位と前記位置売上順位と前記商品金額データから前記システム予想金額が最大となる前記対応関係条件を生成する請求項２に記載のデータ処理装置。
【請求項４】
前記商品記憶部は、前記商品金額データとして前記陳列販売商品ごとに商品販売単価も記憶し、
前記予想算出部は、商品陳列形態に対応して前記商品保持位置ごとに前記商品販売個数と前記商品販売単価を乗算して位置予想売上を算出し、
前記予想表示部は、算出された前記位置予想売上を前記システム正面画像の前記商品保持位置ごとに表示出力する請求項１ないし３の何れか一項に記載のデータ処理装置。
【請求項５】
前記商品記憶部は、前記商品金額データとして前記陳列販売商品ごとに商品販売実益も記憶し、
前記予想算出部は、商品陳列形態に対応して前記商品保持位置ごとに前記商品販売個数と前記商品販売実益を乗算して位置予想実益を算出し、
前記予想表示部は、算出された前記位置予想実益を前記システム正面画像の前記商品保持位置ごとに表示出力する請求項１ないし３の何れか一項に記載のデータ処理装置。
【請求項６】
取得された前記商品売上順位と前記位置売上順位とを生成された前記対応関係条件とともに表示出力する順位表示部と、
表示出力された前記対応関係条件を編集処理する入力操作を受け付ける条件入力部とを、
さらに有する請求項１ないし５の何れか一項に記載のデータ処理装置。
【請求項７】
前記構造記憶部は、前記商品陳列システムの前記商品保持位置ごとに位置識別データも記憶し、
前記順位表示部は、取得された前記商品売上順位で前記商品識別データを一覧表示するとともに取得された前記位置売上順位で前記位置識別データを一覧表示し、
前記条件入力部は、前記商品売上順位で一覧表示された前記商品識別データと前記位置売上順位で一覧表示された前記位置識別データとに前記対応関係条件を設定する請求項６に記載のデータ処理装置。
【請求項８】
前記順位表示部は、取得された前記商品売上順位で前記商品識別データを一覧表示するとともに取得された前記位置売上順位を前記システム正面画像の前記商品保持位置に表示出力し、
前記条件入力部は、前記商品売上順位で一覧表示された前記商品識別データと前記位置売上順位が表示出力された前記商品保持位置とに前記対応関係条件を設定する請求項６または７に記載のデータ処理装置。
【請求項９】
前記対応関係条件により生成される前記商品陳列形態を陳列補正条件により補正する陳列補正部を、さらに有する請求項１ないし８の何れか一項に記載のデータ処理装置。
【請求項１０】
前記陳列補正部は、前記商品売上順位と前記位置売上順位との少なくとも一方を前記陳列補正条件により補正する請求項９に記載のデータ処理装置。
【請求項１１】
生成された前記商品陳列形態で前記商品識別データを前記システム正面画像の前記商品保持位置に配置して表示出力する陳列表示部を、
さらに有する請求項１ないし１０の何れか一項に記載のデータ処理装置。
【請求項１２】
前記商品記憶部は、前記陳列販売商品の少なくとも一部としてタバコパックとタバコカートンとを記憶し、
前記商品順位部は、前記タバコパックの前記販売商品種別ごとの前記商品売上順位と前記タバコカートンの前記販売商品種別ごとの前記商品売上順位とを個別に取得し、
前記構造記憶部は、前記タバコパックの前記商品保持位置と前記タバコカートンの前記商品保持位置とが区分されている前記陳列収容構造を記憶し、
前記位置順位部は、前記タバコパックの前記商品保持位置ごとの前記位置売上順位と前記タバコカートンの前記商品保持位置ごとの前記位置売上順位を個別に取得し、
前記陳列生成部は、前記タバコパックの前記商品売上順位と前記位置売上順位との前記対応関係条件および前記タバコカートンの前記商品売上順位と前記位置売上順位との前記対応関係条件により前記商品陳列システムに前記タバコパックと前記タバコカートンとを陳列する商品陳列形態を生成し、
前記陳列表示部は、前記商品陳列形態で前記タバコパックと前記タバコカートンとが陳列された前記商品陳列システムを表示出力する請求項１１に記載のデータ処理装置。
【請求項１３】
商品陳列システムに収容される複数種類の陳列販売商品の商品陳列形態を生成するデータ処理装置のコンピュータプログラムであって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶処理と、
前記システム正面画像の前記商品保持位置に配置される前記陳列販売商品ごとに少なくとも商品識別データを商品金額データとともに記憶する商品記憶処理と、
前記陳列販売商品の販売商品種別ごとの商品売上順位を取得する商品順位処理と、
前記陳列販売商品の前記商品保持位置ごとの所定期間での商品販売個数を位置売上順位として取得する位置順位処理と、
前記商品金額データに対応して前記商品売上順位と前記位置売上順位との対応関係条件を生成する条件生成処理と、
生成された前記商品売上順位と前記位置売上順位との前記対応関係条件により前記商品陳列システムに前記陳列販売商品を陳列する商品陳列形態を生成する陳列生成処理と、
前記商品陳列形態に対応して前記商品保持位置ごとに前記商品販売個数と前記商品金額データを乗算して位置予想金額を算出する予想算出処理と、
算出された前記位置予想金額を前記システム正面画像の前記商品保持位置ごとに表示出力する予想表示処理と、
をデータ処理装置に実行させるコンピュータプログラム。
【請求項１４】
商品陳列システムに収容される複数種類の陳列販売商品の商品陳列形態を生成するデータ処理装置のデータ処理方法であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶動作と、
前記システム正面画像の前記商品保持位置に配置される前記陳列販売商品ごとに少なくとも商品識別データを商品金額データとともに記憶する商品記憶動作と、
前記陳列販売商品の販売商品種別ごとの商品売上順位を取得する商品順位動作と、
前記陳列販売商品の前記商品保持位置ごとの所定期間での商品販売個数を位置売上順位として取得する位置順位動作と、
前記商品金額データに対応して前記商品売上順位と前記位置売上順位との対応関係条件を生成する条件生成動作と、
生成された前記商品売上順位と前記位置売上順位との前記対応関係条件により前記商品陳列システムに前記陳列販売商品を陳列する商品陳列形態を生成する陳列生成動作と、
前記商品陳列形態に対応して前記商品保持位置ごとに前記商品販売個数と前記商品金額データを乗算して位置予想金額を算出する予想算出動作と、
算出された前記位置予想金額を前記システム正面画像の前記商品保持位置ごとに表示出力する予想表示動作と、
を有するデータ処理方法。
【発明の詳細な説明】
【技術分野】
【０００１】
本発明は、商品陳列システムに収容される複数種類の陳列販売商品の商品陳列形態をシミュレートするデータ処理装置、このデータ処理装置のコンピュータプログラムおよびデータ処理方法、に関する。
【背景技術】
【０００２】
現在、いわゆるコンビニエンスストアなどのタバコ販売店舗では、例えば、陳列販売商品としてタバコパックを陳列して販売している。なお、ここで云うタバコパックとは、実際に喫煙される複数の紙巻タバコを、直方体状のパッケージに収容した陳列販売商品を意味している。
【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。
【０００４】
システムフレームは、複数のマガジンユニットを上下左右に配列して保持する。このため、従来の商品陳列システムは、タバコパックを上下左右に配列して陳列することができる。
【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。
【０００６】
商品の売場として、従来は、ショッピングモールや量販店等の広大な売場が主流であった。しかし、近年では、流通形態の変化により、コンビニエンスストアのような狭小な売場が大幅に増加してきている。
【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、タバコ販売店舗に導入される商品陳列システムは定型のものが多く、売場構築の工夫をするにも限界があった。
【０００８】
特に、コンビニエンスストアのような狭小なタバコ販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【発明が解決しようとする課題】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小なタバコ販売店舗でも、簡単に搬入して迅速に設置することができる。さらに、設置場所にもタバコパックの商品陳列形態にも柔軟性があるので、訴求効果が高い売場を演出するようなことができる。従って、理想的な売場の構築に寄与することができる。
【００１１】
上述のように、特願２００６−２６６６２５号の商品陳列システムは、理想的な売場構築を実現するため、複数種類のユニット部材を様々に組み合わせることができる。このような商品陳列システムでタバコパックを陳列販売する場合、作業者は所望により商品陳列システムを構築してタバコパックを陳列すればよい。
【００１２】
しかし、上述の商品陳列システムは余りにも自由度が高いため、そのユニット部材の組み合わせは膨大である。このため、商品陳列システムを新規に導入するタバコ販売店舗の作業者は、タバコパックの最適な商品陳列形態の決定に苦慮する可能性がある。
【００１３】
特に、タバコパックやタバコカートンは、人気により販売の回転速度が大幅に相違する。このため、人気のタバコパックやタバコカートンは多量に在庫しておく必要がある。
【００１４】
一方、販売速度は低くとも着実に売れるタバコパックなどもあり、このようなタバコパックも少量ながら在庫しておく必要がある。しかし、このようにタバコパックを自由に陳列できるタバコ陳列システムで、商品販売売上や商品販売実益が最大となる商品陳列形態を模索することは、極めて困難である。
【００１５】
本発明は上述のような課題に鑑みてなされたものであり、商品販売売上や商品販売実益が最大となることが期待できる商品陳列形態を自動生成することができるデータ処理装置を提供するものである。
【課題を解決するための手段】
【００１６】
本発明のデータ処理装置は、商品陳列システムに収容される複数種類の陳列販売商品の商品陳列形態を生成するデータ処理装置であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶部と、システム正面画像の商品保持位置に配置される陳列販売商品ごとに少なくとも商品識別データを商品金額データとともに記憶する商品記憶部と、陳列販売商品の販売商品種別ごとの商品売上順位を取得する商品順位部と、陳列販売商品の商品保持位置ごとの所定期間での商品販売個数を位置売上順位として取得する位置順位部と、商品金額データに対応して商品売上順位と位置売上順位との対応関係条件を生成する条件生成部と、生成された商品売上順位と位置売上順位との対応関係条件により商品陳列システムに陳列販売商品を陳列する商品陳列形態を生成する陳列生成部と、商品陳列形態に対応して商品保持位置ごとに商品販売個数と商品金額データを乗算して位置予想金額を算出する予想算出部と、算出された位置予想金額をシステム正面画像の商品保持位置ごとに表示出力する予想表示部と、を有する。
【００１７】
従って、本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとに少なくとも商品識別データを商品金額データとともに商品記憶部が記憶する。陳列販売商品の販売商品種別ごとの商品売上順位を商品順位部が取得し、陳列販売商品の商品保持位置ごとの所定期間での商品販売個数を位置売上順位として位置順位部が取得する。すると、商品金額データに対応して商品売上順位と位置売上順位との対応関係条件を条件生成部が生成する。生成された商品売上順位と位置売上順位との対応関係条件により商品陳列システムに陳列販売商品を陳列する商品陳列形態を陳列生成部が生成する。商品陳列形態に対応して商品保持位置ごとに商品販売個数と商品金額データを乗算して位置予想金額を予想算出部が算出する。算出された位置予想金額をシステム正面画像の商品保持位置ごとに予想表示部が表示出力する。このため、商品金額データに対応した商品売上順位と位置売上順位との対応関係条件により生成された商品陳列形態で、商品保持位置ごとに商品販売個数と商品金額データを乗算した位置予想金額が算出されて表示出力される。例えば、売上が良好な商品保持位置に売上が良好な陳列販売商品が陳列されるとともに、売上が不良な商品保持位置に売上が不良な陳列販売商品が陳列される商品陳列形態などが自動生成され、商品保持位置ごとの位置予想金額として提示される。
【００１８】
また、上述のようなデータ処理装置において、予想算出部は、商品保持位置ごとに算出された位置予想金額を総計してシステム予想金額も算出し、予想表示部は、算出されたシステム予想金額も表示出力してもよい。
【００１９】
また、上述のようなデータ処理装置において、条件生成部は、商品売上順位と位置売上順位と商品金額データからシステム予想金額が最大となる対応関係条件を生成してもよい。
【００２０】
また、上述のようなデータ処理装置において、商品記憶部は、商品金額データとして陳列販売商品ごとに商品販売単価も記憶し、予想算出部は、商品陳列形態に対応して商品保持位置ごとに商品販売個数と商品販売単価を乗算して位置予想売上を算出し、予想表示部は、算出された位置予想売上をシステム正面画像の商品保持位置ごとに表示出力してもよい。
【００２１】
また、上述のようなデータ処理装置において、商品記憶部は、商品金額データとして陳列販売商品ごとに商品販売実益も記憶し、予想算出部は、商品陳列形態に対応して商品保持位置ごとに商品販売個数と商品販売実益を乗算して位置予想実益を算出し、予想表示部は、算出された位置予想実益をシステム正面画像の商品保持位置ごとに表示出力してもよい。
【００２２】
また、上述のようなデータ処理装置において、取得された商品売上順位と位置売上順位とを生成された対応関係条件とともに表示出力する順位表示部と、表示出力された対応関係条件を編集処理する入力操作を受け付ける条件入力部とを、さらに有してもよい。
【００２３】
また、上述のようなデータ処理装置において、構造記憶部は、商品陳列システムの商品保持位置ごとに位置識別データも記憶し、順位表示部は、取得された商品売上順位で商品識別データを一覧表示するとともに取得された位置売上順位で位置識別データを一覧表示し、条件入力部は、商品売上順位で一覧表示された商品識別データと位置売上順位で一覧表示された位置識別データとに対応関係条件を設定してもよい。
【００２４】
また、上述のようなデータ処理装置において、順位表示部は、取得された商品売上順位で商品識別データを一覧表示するとともに取得された位置売上順位をシステム正面画像の商品保持位置に表示出力し、条件入力部は、商品売上順位で一覧表示された商品識別データと位置売上順位が表示出力された商品保持位置とに対応関係条件を設定してもよい。
【００２５】
また、上述のようなデータ処理装置において、対応関係条件により生成される商品陳列形態を陳列補正条件により補正する陳列補正部を、さらに有してもよい。
【００２６】
また、上述のようなデータ処理装置において、陳列補正部は、商品売上順位と前位置売上順位との少なくとも一方を陳列補正条件により補正してもよい。
【００２７】
また、上述のようなデータ処理装置において、生成された商品陳列形態で商品識別データをシステム正面画像の商品保持位置に配置して表示出力する陳列表示部を、
さらに有してもよい。
【００２８】
また、上述のようなデータ処理装置において、商品記憶部は、陳列販売商品の少なくとも一部としてタバコパックとタバコカートンとを記憶し、商品順位部は、タバコパックの販売商品種別ごとの商品売上順位とタバコカートンの販売商品種別ごとの商品売上順位とを個別に取得し、構造記憶部は、タバコパックの商品保持位置とタバコカートンの商品保持位置とが区分されている陳列収容構造を記憶し、位置順位部は、タバコパックの商品保持位置ごとの位置売上順位とタバコカートンの商品保持位置ごとの位置売上順位を個別に取得し、陳列生成部は、タバコパックの商品売上順位と位置売上順位との対応関係条件およびタバコカートンの商品売上順位と位置売上順位との対応関係条件により商品陳列システムにタバコパックとタバコカートンとを陳列する商品陳列形態を生成し、陳列表示部は、商品陳列形態でタバコパックとタバコカートンとが陳列された商品陳列システムを表示出力してもよい。
【００２９】
本発明のコンピュータプログラムは、商品陳列システムに収容される複数種類の陳列販売商品の商品陳列形態を生成するデータ処理装置のコンピュータプログラムであって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶処理と、システム正面画像の商品保持位置に配置される陳列販売商品ごとに少なくとも商品識別データを商品金額データとともに記憶する商品記憶処理と、陳列販売商品の販売商品種別ごとの商品売上順位を取得する商品順位処理と、陳列販売商品の商品保持位置ごとの所定期間での商品販売個数を位置売上順位として取得する位置順位処理と、商品金額データに対応して商品売上順位と位置売上順位との対応関係条件を生成する条件生成処理と、生成された商品売上順位と位置売上順位との対応関係条件により商品陳列システムに陳列販売商品を陳列する商品陳列形態を生成する陳列生成処理と、商品陳列形態に対応して商品保持位置ごとに商品販売個数と商品金額データを乗算して位置予想金額を算出する予想算出処理と、算出された位置予想金額をシステム正面画像の商品保持位置ごとに表示出力する予想表示処理と、をデータ処理装置に実行させる。
【００３０】
本発明のデータ処理方法は、商品陳列システムに収容される複数種類の陳列販売商品の商品陳列形態を生成するデータ処理装置のデータ処理方法であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶動作と、システム正面画像の商品保持位置に配置される陳列販売商品ごとに少なくとも商品識別データを商品金額データとともに記憶する商品記憶動作と、陳列販売商品の販売商品種別ごとの商品売上順位を取得する商品順位動作と、陳列販売商品の商品保持位置ごとの所定期間での商品販売個数を位置売上順位として取得する位置順位動作と、商品金額データに対応して商品売上順位と位置売上順位との対応関係条件を生成する条件生成動作と、生成された商品売上順位と位置売上順位との対応関係条件により商品陳列システムに陳列販売商品を陳列する商品陳列形態を生成する陳列生成動作と、商品陳列形態に対応して商品保持位置ごとに商品販売個数と商品金額データを乗算して位置予想金額を算出する予想算出動作と、算出された位置予想金額をシステム正面画像の商品保持位置ごとに表示出力する予想表示動作と、を有する。
【００３１】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３３】
また、本発明のデータ処理方法は、複数の動作を順番に記載してあるが、その記載の順番は複数の動作を実行する順番を限定するものではない。このため、本発明のデータ処理方法を実施するときには、その複数の動作の順番は内容的に支障しない範囲で変更することができる。
【００３４】
さらに、本発明のデータ処理方法は、複数の動作が個々に相違するタイミングで実行されることに限定されない。このため、ある動作の実行中に他の動作が発生すること、ある動作の実行タイミングと他の動作の実行タイミングとの一部ないし全部が重複していること、等でもよい。
【００３５】
また、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００３６】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００３７】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００３８】
なお、本発明でコンピュータプログラムに対応した各種動作をデータ処理装置に実行させることは、各種デバイスをデータ処理装置に動作制御させることなども意味している。
【００３９】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等を許容する。
【発明の効果】
【００４０】
本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとに少なくとも商品識別データを商品金額データとともに商品記憶部が記憶する。陳列販売商品の販売商品種別ごとの商品売上順位を商品順位部が取得し、陳列販売商品の商品保持位置ごとの所定期間での商品販売個数を位置売上順位として位置順位部が取得する。すると、商品金額データに対応して商品売上順位と位置売上順位との対応関係条件を条件生成部が生成する。生成された商品売上順位と位置売上順位との対応関係条件により商品陳列システムに陳列販売商品を陳列する商品陳列形態を陳列生成部が生成する。商品陳列形態に対応して商品保持位置ごとに商品販売個数と商品金額データを乗算して位置予想金額を予想算出部が算出する。算出された位置予想金額をシステム正面画像の商品保持位置ごとに予想表示部が表示出力する。このため、商品金額データに対応した商品売上順位と位置売上順位との対応関係条件により生成された商品陳列形態で、商品保持位置ごとに商品販売個数と商品金額データを乗算した位置予想金額が算出されて表示出力される。例えば、売上が良好な商品保持位置に売上が良好な陳列販売商品が陳列されるとともに、売上が不良な商品保持位置に売上が不良な陳列販売商品が陳列される商品陳列形態などが自動生成され、商品保持位置ごとの位置予想金額として提示される。このため、商品陳列システムの全体での商品販売売上や商品販売実益が最大となることが期待できる商品陳列形態を自動生成することができ、これを作業者は商品保持位置ごとの位置予想金額により簡単かつ確実に確認することができる。
【発明を実施するための最良の形態】
【００４１】
本発明の実施の一形態を図面を参照して以下に説明する。本実施の形態のデータ処理装置８００は、詳細には後述するが、図１に示すように、商品陳列システムであるタバコ陳列システム１０００に収容される複数種類の陳列販売商品であるタバコパックＴＰやタバコカートンＴＫやブリックパックＢＰなどの商品陳列形態ＰＤＦを生成する。
【００４２】
データ処理装置８００は、図２に示すように、各種データを表示画面に表示出力する表示デバイス８０１、各種の入力操作を受け付ける入力デバイス８０２、各種のデータ処理を実行するコンピュータユニット８０３、等をハードウェアとして有する。
【００４３】
より詳細には、このコンピュータユニット８０３は、各種のデータ処理を実行するＣＰＵ(Central Processing Unit)８３１、各種データを固定的に記憶しているＲＯＭ(Read Only Memory)８３２、各種データを一時保持するＲＡＭ(Random Access Memory)８３３、等を有し、これらがバスライン８３４で接続されている。
【００４４】
さらに、このバスライン８３４には、大容量の各種データを記憶するＨＤＤ(Hard Disc Drive)８４１、データカード８５１が着脱自在に装填されるカードリーダ８４２、ＣＤ(Compact Disc)−ＲＯＭ８５２が着脱自在に装填されるＣＤドライブ８４３、入力デバイス８０２であるキーボード８４４、入力デバイス８０２であるマウス８４５、ＬＣＤ(Liquid Crystal Display)等からなる表示デバイス８０１、Ｉ／Ｆ(Interface)ユニット８４６、等のハードウェアが接続されている。
【００４５】
本実施の形態のデータ処理装置８００では、ＲＯＭ８３２、ＲＡＭ８３３、ＨＤＤ８４１、着脱自在なデータカード８５１、着脱自在なＣＤ−ＲＯＭ８５２、等がデータ記憶媒体に相当し、詳細には後述するが、これらの少なくとも一個にＣＰＵ８３１のための各種のコンピュータプログラムが格納されている。
【００４６】
このコンピュータプログラムや入力デバイス８０２の入力データなどに対応して、データ処理装置８００は、表示デバイス８０１の画像生成などの各種のデータ処理を実行する。
【００４７】
このため、データ処理装置８００は、図１に示すように、商品保持位置ＰＫＳでタバコパックＴＰやタバコカートンＴＫやブリックパックＢＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶部８１０と、システム正面画像ＳＦＧの商品保持位置ＰＫＳに配置されるタバコパックＴＰやタバコカートンＴＫやブリックパックＢＰなどごとに少なくとも商品識別データであるパックフェイス画像ＰＦＧやカートンフェイス画像ＫＦＧやカートン端面画像ＫＥＧやブリックフェイス画像ＢＦＧなどを商品金額データであるパック金額データＰＭＤやカートン金額データＫＭＤやブリック金額データＢＭＤとともに記憶する商品記憶部８２０と、タバコパックＴＰなどの販売商品種別ごとの商品売上順位ＴＳＲを取得する商品順位部８３０と、タバコパックＴＰなどの商品保持位置ＰＫＳごとの所定期間での商品販売個数を位置売上順位ＰＳＲとして取得する位置順位部８４０と、パック金額データＰＭＤやカートン金額データＫＭＤやブリック金額データＢＭＤに対応して商品売上順位ＴＳＲと位置売上順位ＰＳＲとの対応関係条件ＣＲＲを生成する条件生成部８５０と、生成された商品売上順位ＴＳＲと位置売上順位ＰＳＲとの対応関係条件ＣＲＲによりタバコ陳列システム１０００にタバコパックＴＰなどを陳列する商品陳列形態ＰＤＦを生成する陳列生成部８６０と、商品陳列形態ＰＤＦに対応して商品保持位置ＰＫＳごとに商品販売個数とパック金額データＰＭＤやカートン金額データＫＭＤやブリック金額データＢＭＤを乗算して位置予想金額ＰＦＭを算出する予想算出部８７０と、算出された位置予想金額ＰＦＭをシステム正面画像ＳＦＧの商品保持位置ＰＫＳごとに表示出力する予想表示部８８０と、を論理的に有する。
【００４８】
さらに、予想算出部８７０は、商品保持位置ＰＫＳごとに算出された位置予想金額ＰＦＭを総計してシステム予想金額ＳＦＭも算出し、予想表示部８８０は、算出されたシステム予想金額ＳＦＭも表示出力する。
【００４９】
そして、条件生成部８５０は、商品売上順位ＴＳＲと位置売上順位ＰＳＲとパック金額データＰＭＤやカートン金額データＫＭＤやブリック金額データＢＭＤからシステム予想金額ＳＦＭが最大となる対応関係条件ＣＲＲを生成する。
【００５０】
また、データ処理装置８００は、取得された商品売上順位ＴＳＲと位置売上順位ＰＳＲとを、生成された対応関係条件ＣＲＲとともに表示出力する順位表示部８９０も有する。
【００５１】
なお、構造記憶部８１０は、タバコ陳列システム１０００の商品保持位置ＰＫＳごとに位置識別データＳＩＤも記憶し、順位表示部８９０は、取得された商品売上順位ＴＳＲでパックフェイス画像ＰＦＧやカートンフェイス画像ＫＦＧやカートン端面画像ＫＥＧやブリックフェイス画像ＢＦＧなどを一覧表示するとともに、取得された位置売上順位ＰＳＲで位置識別データＳＩＤを一覧表示する。
【００５２】
より具体的には、本実施の形態のデータ処理装置８００でタバコパックＴＰやブリックパックＢＰやタバコカートンＴＫの商品陳列形態ＰＤＦがシミュレートされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。
【００５３】
タバコ陳列システム１０００は、陳列販売商品であるタバコパックＴＰ、複数のタバコパックＴＰがパックされた商品であるタバコカートンＴＫ、特別なタバコパックＴＰであるブリックパックＢＰ、等を陳列する。
【００５４】
なお、ブリックパックＢＰは、例えば、携帯灰皿などのノベルティグッズをタバコパックＴＰと一体にパッキングした構造などからなり、上述のように特別な構造のタバコパックＴＰと認識することができる。このブリックパックＢＰは、例えば、厚紙で形成された簡易什器ＥＦとともにタバコ販売店舗に提供される。
【００５５】
現在、タバコパックＴＰは、上下寸法に多少の長短はあるものの、一般的に前後左右の寸法が共通した定型の直方体状に形成されている。そして、本実施の形態では、タバコパックＴＰの最大面を前面および後面、最小面を上面および下面、と規定する。
【００５６】
なお、通常のタバコパックＴＰは前面(および後面)に銘柄などが表記されている。このため、その前面が前方に位置する適正な方向の状態で陳列されることが好ましい。そして、マガジンユニット１００は、図４に示すように、上述のように方向が適正な状態の複数のタバコパックＴＰを前後方向に配列した状態で収容する。
【００５７】
トレーユニット２００も、上面が開口したボックス状に無色透明な樹脂で形成されている。トレーユニット２００には、複数のマガジンユニット１００が左右方向に配列された状態で収容される。
【００５８】
ただし、本実施の形態のタバコ陳列システム１０００では、図３に示すように、マガジンユニット１００を五個収容する幅広のトレーユニット２００と三個収容する幅狭のトレーユニット２００とがある。
【００５９】
フレームユニット３００は、図４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００６０】
支持フレーム３２０は、トレーユニット２００を支持する前後方向に細長いレール状に形成された金属の板材からなり、複数が上下方向に配列されて一対の本体フレーム３１０の内側面に接合されている。
【００６１】
ただし、トレーユニット２００は、前述のように二種類の左右寸法がある。そこで、本実施の形態のタバコ陳列システム１０００では、図３に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。
【００６２】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。
【００６３】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。
【００６４】
なお、タバコ陳列システム１０００は、前述のようにフレームユニット３００にトレーユニット２００で装着したマガジンユニット１００にタバコパックＴＰを収容する他、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。
【００６５】
上述のように複数種類のフレームユニット３００やトレーユニット２００を自在に組み合わせることで、タバコ販売店舗ごとに様々な形態のタバコ陳列システム１０００が構築される。
【００６６】
上述のように複数種類のフレームユニット３００などでタバコ陳列システム１０００が形成されると、これに対応した陳列収容構造ＤＩＳとしてデータ処理装置８００にデータ登録される。
【００６７】
このとき、フレームユニット３００ごとのユニットデータが事前に用意されていることにより、タバコ陳列システム１０００の陳列収容構造ＤＩＳおよび商品保持位置ＰＫＳが簡単かつ確実にデータ処理装置８００に登録される。
【００６８】
上述のような状態で、データ処理装置８００は、前述のようにタバコ陳列システム１０００にタバコパックＴＰやタバコカートンＴＫなどを最適に陳列することをシミュレートすることができる。
【００６９】
なお、上述のようなデータ処理装置８００のコンピュータプログラムは、例えば、タバコ陳列システム１０００とともにアプリケーションソフトとしてタバコ製造メーカからタバコ販売店舗に提供される。
【００７０】
上述のようなコンピュータプログラムは、例えば、タバコ陳列システム１０００に収容される複数種類のタバコパックＴＰやタバコカートンＴＫやブリックパックＢＰなどの商品陳列形態ＰＤＦを生成するデータ処理装置８００のコンピュータプログラムであって、商品保持位置ＰＫＳでタバコパックＴＰやタバコカートンＴＫやブリックパックＢＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶処理と、システム正面画像ＳＦＧの商品保持位置ＰＫＳに配置されるタバコパックＴＰやタバコカートンＴＫやブリックパックＢＰなどごとに少なくともパックフェイス画像ＰＦＧやカートンフェイス画像ＫＦＧやカートン端面画像ＫＥＧやブリックフェイス画像ＢＦＧなどをパック金額データＰＭＤやカートン金額データＫＭＤやブリック金額データＢＭＤとともに記憶する商品記憶処理と、タバコパックＴＰやタバコカートンＴＫやブリックパックＢＰなどの販売商品種別ごとの商品売上順位ＴＳＲを取得する商品順位処理と、タバコパックＴＰやタバコカートンＴＫやブリックパックＢＰなどの商品保持位置ＰＫＳごとの所定期間での商品販売個数を位置売上順位ＰＳＲとして取得する位置順位処理と、パック金額データＰＭＤやカートン金額データＫＭＤやブリック金額データＢＭＤに対応して商品売上順位ＴＳＲと位置売上順位ＰＳＲとの対応関係条件ＣＲＲを生成する条件生成処理と、生成された商品売上順位ＴＳＲと位置売上順位ＰＳＲとの対応関係条件ＣＲＲによりタバコ陳列システム１０００にタバコパックＴＰやタバコカートンＴＫやブリックパックＢＰなどを陳列する商品陳列形態ＰＤＦを生成する陳列生成処理と、商品陳列形態ＰＤＦに対応して商品保持位置ＰＫＳごとに商品販売個数とパック金額データＰＭＤやカートン金額データＫＭＤやブリック金額データＢＭＤを乗算して位置予想金額ＰＦＭを算出する予想算出処理と、算出された位置予想金額ＰＦＭをシステム正面画像ＳＦＧの商品保持位置ＰＫＳごとに表示出力する予想表示処理と、をデータ処理装置８００に実行させるように記述されている。
【００７１】
上述のような構成において、本実施の形態のデータ処理装置８００およびタバコ陳列システム１０００の使用方法を以下に説明する。まず、本実施の形態のタバコ陳列システム１０００では、例えば、四種類のフレームユニット３００、四種類のトレーユニット２００、二種類のマガジンユニット１００、等を所望により自在に組み合せることができる。
【００７２】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。
【００７３】
さらに、タバコパックＴＰを三行に保持する背高のフレームユニット３００と二行に保持する背低のフレームユニット３００とがあるので、設置スペースの上下寸法にも良好に対応することができる。
【００７４】
上述のようにタバコ販売店舗で独自にタバコ陳列システム１０００を構築すると、このタバコ陳列システム１０００の陳列収容構造ＤＩＳや商品保持位置ＰＫＳなどが陳列システムデータとしてデータ処理装置８００に登録される。
【００７５】
なお、本出願人は上述のようなタバコ陳列システム１０００の構築をシミュレートして支援するデータ処理装置８００を発明しており、特願２００７−０５３７１８号，特願２００７−０５３７１９号，特願２００７−０５３７２５号，特願２００７−０５３７２６号、として出願している。
【００７６】
上述のようにタバコ陳列システム１０００の形成とデータ登録が完了すると、そこにタバコパックＴＰやブリックパックＢＰやタバコカートンＴＫを陳列して販売することになる。
【００７７】
しかし、上述のようにタバコ陳列システム１０００がタバコ販売店舗ごとに独自に構築されているため、そこにタバコパックＴＰやブリックパックＢＰやタバコカートンＴＫを最適に陳列することは容易ではない。
【００７８】
特に、不良在庫を最少とするためには、タバコ陳列システム１０００に陳列して販売する複数種類のタバコパックＴＰなどの回転率を最大とすることが好ましい。このためには、タバコ販売店舗では、タバコ陳列システム１０００でのタバコパックＴＰやタバコカートンＴＫなどの商品陳列形態ＰＤＦを変更することがある。
【００７９】
このような場合、本実施の形態のデータ処理装置８００では、上述のように各種構造のタバコ陳列システム１０００でのタバコパックＴＰなどの商品陳列形態ＰＤＦを、そのタバコパックＴＰのパック金額データＰＭＤなどと、タバコパックＴＰなどの商品売上順位ＴＳＲと、タバコ陳列システム１０００での位置売上順位ＰＳＲと、に基づいてシミュレートすることができる。
【００８０】
その場合、図１１に示すように、データ処理装置８００の所定操作で陳列形態生成のシミュレーションプログラムが起動されると(ステップＳ１−Ｙ)、システム正面画像ＳＦＧやパック金額データＰＭＤなどの各種データが読み出される(ステップＳ２)。
【００８１】
すると、図５に示すように、初期画面としてシステム正面画像ＳＦＧが表示出力される(ステップＳ３)。このとき、このシステム正面画像ＳＦＧは、商品保持位置ＰＫＳの各々に個々に位置識別データＳＩＤも表示出力される。
【００８２】
このような状態で、タバコパックＴＰやタバコカートンＴＫやブリックパックＢＰなどの販売商品種別ごとの商品売上順位ＴＳＲが取得されると(ステップＳ４−Ｙ)、例えば、図６に示すように、この商品売上順位ＴＳＲがシステム正面画像ＳＦＧの左方にパックフェイス画像ＰＦＧなどで一覧表示される(ステップＳ５)。
【００８３】
同様に、タバコパックＴＰやタバコカートンＴＫやブリックパックＢＰの商品保持位置ＰＫＳごとの位置売上順位ＰＳＲが取得されると(ステップＳ６−Ｙ)、この位置売上順位ＰＳＲも位置識別データＳＩＤで一覧表示される(ステップＳ７)。
【００８４】
なお、上述の商品売上順位ＴＳＲや位置売上順位ＰＳＲは、事前に作業者が集計していた調査データがデータ処理装置８００にリアルタイムに入力操作されてもよく、例えば、タバコ販売店舗のＰＯＳシステム(図示せず)からデータ処理装置８００に取得されてもよい。上述のような画像表示状態により、作業者はシステム正面画像ＳＦＧとともに商品売上順位ＴＳＲと位置売上順位ＰＳＲとを一目で確認することになる。
【００８５】
このような状態で、データ処理装置８００は、パック金額データＰＭＤやカートン金額データＫＭＤやブリック金額データＢＭＤに対応して商品売上順位ＴＳＲと位置売上順位ＰＳＲとの対応関係条件ＣＲＲを、所定の設定条件および処理アルゴリズムにより生成する(ステップＳ８)。
【００８６】
例えば、タバコパックＴＰの銘柄ごとに商品売上順位ＴＳＲとパック金額データＰＭＤとが乗算される。このタバコパックＴＰごとの乗算結果とタバコパックＴＰの位置売上順位ＰＳＲとを、上位同士で所定個数ずつ順番に対応させ、これをタバコパックＴＰの対応関係条件ＣＲＲとする。
【００８７】
同様に、タバコカートンＴＫとブリックパックＢＰでも対応関係条件ＣＲＲが生成されると、図７に示すように、これが商品売上順位ＴＳＲのパックフェイス画像ＰＦＧなどと位置売上順位ＰＳＲの位置識別データＳＩＤとの対応関係条件ＣＲＲとして表示出力される(ステップＳ９)。
【００８８】
このため、作業者はパック金額データＰＭＤなどに対応して商品売上順位ＴＳＲと位置売上順位ＰＳＲとに自動設定された対応関係条件ＣＲＲを表示画像で確認することになる。
【００８９】
すると、このように生成された対応関係条件ＣＲＲにより、タバコ陳列システム１０００にタバコパックＴＰなどを陳列する商品陳列形態ＰＤＦが生成される(ステップＳ１０)。
【００９０】
この商品陳列形態ＰＤＦでは、例えば、商品保持位置ＰＫＳごとに、その位置売上順位ＰＳＲと商品売上順位ＴＳＲとパック金額データＰＭＤなどとが設定されたことになる。
【００９１】
そこで、その位置売上順位ＰＳＲと商品売上順位ＴＳＲとパック金額データＰＭＤなどとにより商品保持位置ＰＫＳごとに、所定の設定条件および所定の演算処理により位置予想金額ＰＦＭが算出される(ステップＳ１１)。
【００９２】
例えば、その商品保持位置ＰＫＳでの一ヶ月でのタバコ販売個数に、対応されたタバコパックＴＰのパック金額データＰＭＤが乗算され、これが商品保持位置ＰＫＳごとの位置予想金額ＰＦＭとされる。
【００９３】
このとき、商品保持位置ＰＫＳでの一ヶ月でのタバコ販売個数が、対応されたタバコパックＴＰの銘柄ごとの一ヶ月でのタバコ販売個数などに基づいて、所定の係数などで補正されてもよい。
【００９４】
このように算出された位置予想金額ＰＦＭは、図８に示すように、システム正面画像ＳＦＧの商品保持位置ＰＫＳごとに表示出力される(ステップＳ１２)。このため、作業者はタバコ陳列システム１０００の商品保持位置ＰＫＳごとの位置予想金額ＰＦＭを表示画像により確認することになる。
【００９５】
つぎに、データ処理装置８００は、上述のように複数の商品保持位置ＰＫＳごとに算出された位置予想金額ＰＦＭを総計してシステム予想金額ＳＦＭも算出する(ステップＳ１３)。
【００９６】
このように算出されたシステム予想金額ＳＦＭは、図９に示すように、例えば、システム正面画像ＳＦＧの下部などに表示出力される(ステップＳ１４)。このため、作業者は自動生成された商品陳列形態ＰＤＦによるタバコ陳列システム１０００での来月の予想金額を一目で確認することになる。
【００９７】
なお、上述のパック金額データＰＭＤやシステム予想金額ＳＦＭなどは、例えば、バック売上データやシステム予想売上などの売上金額としてもよく、パック実益データやシステム予想実益などの実益金額としてもよい。
【００９８】
さらに、上述のように位置予想金額ＰＦＭがシステム正面画像ＳＦＧの商品保持位置ＰＫＳごとに表示出力されるとともに、システム予想金額ＳＦＭがシステム正面画像ＳＦＧの下部などに表示出力された状態で(ステップＳ１２〜Ｓ１４)、例えば、所定操作で陳列形態表示が要求されると(ステップＳ１５−Ｙ)、図１０に示すように、システム正面画像ＳＦＧの商品保持位置ＰＫＳにパックフェイス画像ＰＦＧなどが配置されて表示出力される(ステップＳ１６)。
【００９９】
このため、作業者はシステム予想金額ＳＦＭが最大となるように生成された商品陳列形態ＰＤＦを、表示画像で確認することになる。そして、このように商品陳列形態ＰＤＦを獲得した作業者は、例えば、その商品陳列形態ＰＤＦを印刷出力したりデータ登録するなどして(図示せず)、陳列形態生成のシミュレーションプログラムを終了することになる(ステップＳ１７，Ｓ１８)。
【０１００】
本実施の形態のデータ処理装置８００では、商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに構造記憶部８１０が記憶する。
【０１０１】
また、システム正面画像ＳＦＧの商品保持位置ＰＫＳに配置されるタバコパックＴＰなどごとに少なくともパックフェイス画像ＰＦＧなどをパック金額データＰＭＤなどとともに商品記憶部８２０が記憶する。
【０１０２】
このような状態で、タバコパックＴＰなどの販売商品種別ごとの商品売上順位ＴＳＲを商品順位部８３０が取得し、タバコパックＴＰなどの商品保持位置ＰＫＳごとの所定期間での商品販売個数を位置売上順位ＰＳＲとして位置順位部８４０が取得する。
【０１０３】
すると、パック金額データＰＭＤなどに対応して商品売上順位ＴＳＲと位置売上順位ＰＳＲとの対応関係条件ＣＲＲを条件生成部８５０が生成する。生成された商品売上順位ＴＳＲと位置売上順位ＰＳＲとの対応関係条件ＣＲＲによりタバコ陳列システム１０００にタバコパックＴＰなどを陳列する商品陳列形態ＰＤＦを陳列生成部８６０が生成する。
【０１０４】
商品陳列形態ＰＤＦに対応して商品保持位置ＰＫＳごとに商品販売個数とパック金額データＰＭＤなどを乗算して位置予想金額ＰＦＭを予想算出部８７０が算出する。算出された位置予想金額ＰＦＭをシステム正面画像ＳＦＧの商品保持位置ＰＫＳごとに予想表示部８８０が表示出力する。
【０１０５】
このため、パック金額データＰＭＤなどに対応した商品売上順位ＴＳＲと位置売上順位ＰＳＲとの対応関係条件ＣＲＲにより生成された商品陳列形態ＰＤＦで、商品保持位置ＰＫＳごとに商品販売個数とパック金額データＰＭＤなどを乗算した位置予想金額ＰＦＭが算出されて表示出力される。従って、作業者は商品保持位置ＰＫＳごとに位置予想金額ＰＦＭを表示画像により一目で確認することができる。
【０１０６】
さらに、商品保持位置ＰＫＳごとに算出された位置予想金額ＰＦＭを予想算出部８７０が総計してシステム予想金額ＳＦＭも算出し、算出されたシステム予想金額ＳＦＭも予想表示部８８０が表示出力する。従って、作業者はタバコ陳列システム１０００の全体でのシステム予想金額ＳＦＭを表示画像により一目で確認することができる。
【０１０７】
さらに、商品売上順位ＴＳＲと位置売上順位ＰＳＲとパック金額データＰＭＤやカートン金額データＫＭＤやブリック金額データＢＭＤからシステム予想金額ＳＦＭが最大となる対応関係条件ＣＲＲを条件生成部８５０が生成する。
【０１０８】
従って、パック金額データＰＭＤなどとともに過去の商品売上順位ＴＳＲと過去の位置売上順位ＰＳＲから、現状でシステム予想金額ＳＦＭが最大となることが期待される商品陳列形態ＰＤＦを自動生成することができる。
【０１０９】
このため、簡単にタバコ陳列システム１０００の全体での商品販売売上や商品販売実益を最大することが期待される。ただし、このように自動生成された商品陳列形態ＰＤＦは過去の実績に基づいてタバコパックＴＰなどを商品保持位置ＰＫＳに配置している。
【０１１０】
しかし、過去の実績には特別な理由がある場合があり、商品保持位置ＰＫＳに多分に依存して商品売上順位ＴＳＲが変動するタバコパックＴＰなどもあれば、ほとんど依存することなく商品売上順位ＴＳＲが変動しないタバコパックＴＰなどもある。
【０１１１】
それでも、データ処理装置８００で生成された商品陳列形態ＰＤＦでタバコパックＴＰなどが販売されると、その商品売上順位ＴＳＲと位置売上順位ＰＳＲもデータ収集してデータ処理装置８００にフィードバックすることができる。
【０１１２】
すると、このフィードバックが繰り返されることにより、前述のように商品保持位置ＰＫＳに依存した商品売上順位ＴＳＲの変動有無などが商品陳列形態ＰＤＦの生成に自動的に組み込まれることになる。このため、商品陳列形態ＰＤＦが順次洗練されて最終的に最良解に近似することになる。
【０１１３】
それでいて、途中からタバコパックＴＰの一部の販売終了や、新製品のタバコパックＴＰの販売開始などがあっても、問題なく商品売上順位ＴＳＲと位置売上順位ＰＳＲもデータ収集してデータ処理装置８００にフィードバックすることができる。このため、データ処理装置８００により有効な商品陳列形態ＰＤＦを簡単に獲得することができる。
【０１１４】
しかも、本実施の形態のデータ処理装置８００は、取得された商品売上順位ＴＳＲと位置売上順位ＰＳＲとを、生成された対応関係条件ＣＲＲとともに表示出力する。このため、作業者は生成された対応関係条件ＣＲＲを表示画像により一目で確認することができる。
【０１１５】
なお、本発明は本実施の形態に限定されるものではなく、その要旨を逸脱しない範囲で各種の変形を許容する。例えば、上記形態ではパック金額データＰＭＤなどと商品売上順位ＴＳＲと位置売上順位ＰＳＲとに対応して対応関係条件ＣＲＲが生成されることを例示した。
【０１１６】
また、上記形態では取得された商品売上順位ＴＳＲでパックフェイス画像ＰＦＧやカートンフェイス画像ＫＦＧやカートン端面画像ＫＥＧやブリックフェイス画像ＢＦＧが一覧表示されるとともに、取得された位置売上順位ＰＳＲで位置識別データＳＩＤが一覧表示され、これらに対応関係条件ＣＲＲが設定されることを例示した。
【０１１７】
しかし、取得された位置売上順位ＰＳＲがシステム正面画像ＳＦＧの商品保持位置ＰＫＳに表示出力され、商品売上順位ＴＳＲで一覧表示されたパックフェイス画像ＰＦＧなどと位置売上順位ＰＳＲが表示出力された商品保持位置ＰＫＳとに対応関係条件ＣＲＲが設定されてもよい(図示せず)。この場合、作業者はシステム正面画像ＳＦＧで商品保持位置ＰＫＳごとの商品売上順位ＴＳＲを二次元的に確認することができる。
【０１１８】
さらに、上記形態では商品売上順位ＴＳＲと位置売上順位ＰＳＲとの対応関係条件ＣＲＲにより商品陳列形態ＰＤＦが生成されることのみ例示した。しかし、対応関係条件ＣＲＲにより生成される商品陳列形態ＰＤＦが陳列補正条件により補正されてもよい(図示せず)。なお、このようなデータ処理装置(図示せず)では、商品売上順位ＴＳＲや位置売上順位ＰＳＲが陳列補正条件により補正されてもよい。
【０１１９】
例えば、前述のようにタバコパックＴＰなどと商品保持位置ＰＫＳとに一対一で対応関係条件ＣＲＲが設定されると、図１０に示すように、商品陳列形態ＰＤＦではタバコパックＴＰなどが無秩序な状態に配列されることになる。
【０１２０】
そこで、このような商品陳列形態ＰＤＦで商品保持位置ＰＫＳの一群ごとにタバコパックＴＰなどに多数決を実行させることにより、図１２に示すように、商品陳列形態ＰＤＦは一群の商品保持位置ＰＫＳには一種類のタバコパックＴＰなどが配列された状態に補正されることになる。
【０１２１】
この場合、システム予想金額ＳＦＭおよび実際のシステム売上金額やシステム実益金額は低下する可能性がある。しかし、タバコ陳列システム１０００での商品陳列形態ＰＤＦを美麗に補正することができる。このため、このことによる実際のシステム売上金額やシステム実益金額の増加を期待することもできる。
【０１２２】
このような陳列補正条件として、例えば、図１３に示すように、事前に商品保持位置ＰＫＳを一群ごとに一つとしておき、これとタバコパックＴＰなどとに一対一に対応関係条件ＣＲＲを設定してもよい。
【０１２３】
また、上記形態では、図１０に示すように、システム正面画像ＳＦＧにパックフェイス画像ＰＦＧなどが配置された商品陳列形態ＰＤＦが表示出力された状態では、商品保持位置ＰＫＳごとの位置予想金額ＰＦＭは表示出力されないことを想定した。
【０１２４】
しかし、システム正面画像ＳＦＧにパックフェイス画像ＰＦＧなどが配置された商品陳列形態ＰＤＦでも、商品保持位置ＰＫＳごとの位置予想金額ＰＦＭも表示出力されてもよい。
【０１２５】
さらに、システム正面画像ＳＦＧにパックフェイス画像ＰＦＧなどが配置された商品陳列形態ＰＤＦで、図１４に示すように、その商品保持位置ＰＫＳごとの位置予想金額ＰＦＭを疑似的な三次元グラフなどで表示出力してもよい。
【０１２６】
この場合、位置予想金額ＰＦＭの正確な把握は困難であるが、表示画像により直感的に商品保持位置ＰＫＳごとの位置予想金額ＰＦＭをパックフェイス画像ＰＦＧなどごとに把握することができる。
【０１２７】
また、上記形態ではデータ処理装置８００が、取得された商品売上順位ＴＳＲと位置売上順位ＰＳＲとを生成された対応関係条件ＣＲＲとともに表示出力することのみ例示した。
【０１２８】
しかし、このように表示出力された対応関係条件ＣＲＲを編集処理する入力操作を受け付ける条件入力部をデータ処理装置８００が有してもよい(図示せず)。この場合、データ処理装置８００により自動生成された対応関係条件ＣＲＲを作業者が所望により修正するようなことができる。
【０１２９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１３０】
【図１】本発明の実施の形態のデータ処理装置の論理構造を示す模式的なブロック図である。
【図２】データ処理装置の物理構造を示すブロック図である。
【図３】ユニットシステムであるタバコ陳列システムの外観を示す斜視図である。
【図４】タバコ陳列システムの要部の構造を示す分解斜視図である。
【図５】システム正面画像が表示出力されたデータ処理装置の表示画面を示す模式的な正面図である。
【図６】システム正面画像とともに商品売上順位と位置売上順位とが表示出力された表示画面を示す模式的な正面図である。
【図７】商品売上順位と位置売上順位と対応関係条件とが表示出力された表示画面を示す模式的な正面図である。
【図８】商品売上順位と位置売上順位との対応関係条件によりシステム正面画像に商品保持位置ごとに位置予想金額が表示出力された表示画面を示す模式的な正面図である。
【図９】システム予想金額も表示出力された表示画面を示す模式的な正面図である。
【図１０】商品陳列形態が表示出力された表示画面を示す模式的な正面図である。
【図１１】データ処理装置のデータ処理方法を示すフローチャートである。
【図１２】一の変形例のデータ処理装置で商品陳列形態が補正された表示画面を示す模式的な正面図である。
【図１３】他の変形例のデータ処理装置で位置売上順位が補正された表示画面を示す模式的な正面図である。
【図１４】さらに他の変形例のデータ処理装置で商品陳列形態のパックフェイス画像などが位置予想金額に対応して表示出力された表示画面を示す模式的な正面図である。
【符号の説明】
【０１３１】
１００    マガジンユニット
２００    トレーユニット
３００    フレームユニット
３１０    本体フレーム
３１１    面ファスナ
３１４    凸部材
３２０    支持フレーム
８００    データ処理装置
８０１    表示デバイス
８０２    入力デバイス
８０３    コンピュータユニット
８１０    構造記憶部
８２０    商品記憶部
８３０    商品順位部
８３１    ＣＰＵ
８３２    ＲＯＭ
８３３    ＲＡＭ
８３４    バスライン
８４０    位置順位部
８４１    ＨＤＤ
８４２    カードリーダ
８４３    ＣＤドライブ
８４４    キーボード
８４５    マウス
８４６    Ｉ／Ｆユニット
８５０    条件生成部
８５１    データカード
８５２    ＣＤ−ＲＯＭ
８６０    陳列生成部
８７０    予想算出部
８８０    予想表示部
８９０    順位表示部
１０００    タバコ陳列システム
ＢＦＧ    ブリックフェイス画像
ＢＭＤ    ブリック金額データ
ＢＰ    ブリックパック
ＣＲＲ    対応関係条件
ＤＩＳ    陳列収容構造
ＥＦ    簡易什器
ＫＥＧ    カートン端面画像
ＫＦＧ    カートンフェイス画像
ＫＭＤ    カートン金額データ
ＰＤＦ    商品陳列形態
ＰＦＧ    パックフェイス画像
ＰＦＭ    位置予想金額
ＰＫＳ    商品保持位置
ＰＭＤ    パック金額データ
ＰＳＲ    位置売上順位
ＳＦＧ    システム正面画像
ＳＦＭ    システム予想金額
ＳＩＤ    位置識別データ
ＴＫ    タバコカートン
ＴＰ    タバコパック
ＴＳＲ    商品売上順位
【図１】
2010033115.tif 000003
【図２】
2010033115.tif 000004
【図３】
2010033115.tif 000005
【図４】
2010033115.tif 000006
【図５】
2010033115.tif 000007
【図６】
2010033115.tif 000008
【図７】
2010033115.tif 000009
【図８】
2010033115.tif 000010
【図９】
2010033115.tif 000011
【図１０】
2010033115.tif 000012
【図１１】
2010033115.tif 000013
【図１２】
2010033115.tif 000014
【図１３】
2010033115.tif 000015
【図１４】
2010033115.tif 000016